(57)【要約】【課題】印刷物の提供者と受取者の精神的距離を確実に縮めることができ、かつ、万全のセキュリティが施されているクジ情報を安定的に供給できるシステムを構築する。【解決手段】インターネットを介してクライアント機器ＰＣに接続され、一群の同一種類の印刷物に記載されるべき複数種類のクジ情報を、クライアント機器ＰＣからの要求に基づいて自動的に発行可能なクジ情報発行サーバＳＶ１である。クライアント機器からクジ情報の必要個数を受け付け、個々の印刷物を一意的に特定可能な５４ビットの２進コード（ＲＮＤ１，ＲＮＤ２）を生成し、２進コードＲＮＤ２に基づいて生成されるキーコードＫＥＹを２進コードに混入させてクジ情報を完成させる。【選択図】          図１
2004249535.tif 000002
【特許請求の範囲】
【請求項１】
通信回線を介してクライアント機器に接続され、一群の同一種類の印刷物に記載される各々相違するクジ情報を、前記クライアント機器からの要求に基づいて自動的に発行可能なサーバ機器であって、
前記クライアント機器からクジ情報の必要個数を受け付ける第１手段と、
前記一群の同一種類の印刷物について、個々の印刷物を一意的に特定可能な２進コードを生成する第２手段と、
前記２進コードに基づいて生成されるキーコードを、前記２進コードに混入させて単一のクジ情報を完成させる第３手段と、
前記第２手段及び第３手段の繰返し動作によって完成された必要個数のクジ情報を、前記クライアント機器に返送する第４手段と、を備えることを特徴とするクジ情報発行装置。
【請求項２】
前記サーバ機器は、予め会員登録を済ませた会員のクライアント機器のみからアクセス可能に構成されている請求項１に記載のクジ情報発行装置。
【請求項３】
前記クライアント機器に返送されるクジ情報は、他の発行済みのクジ情報と共に所定のデータベースに蓄積されるようになっている請求項１又は２に記載のクジ情報発行装置。
【請求項４】
前記クジ情報は、それ自身の一部を切り出すことで、前記キーコードを生成可能に構成されている請求項１〜３の何れかに記載のクジ情報発行装置。
【請求項５】
請求項１〜請求項４の何れかに記載のクジ情報の記載された印刷物の所持者の操作に起因して、前記クジ情報の登録を受け付けるクジ情報登録装置であって、
クライアント機器から送信されたクジ情報を含んだ一群の伝送データを受け付ける受信手段と、
前記一群の伝送データからクジ情報を抽出する抽出手段と、
抽出されたクジ情報に基づいて前記キーコードを特定するキー特定手段と、
特定されたキーコードに基づいて、送信されたクジ情報の正当性を判定する判定手段と、を備えることを特徴とするクジ情報の登録装置。
【請求項６】
前記キー特定手段は、抽出されたクジ情報のみに基づいてキーコードを特定している請求項５に記載のクジ情報登録装置。
【請求項７】
前記判定手段は、キーコードに基づいて正当性が判定された後、発行済みのクジ情報を検索して、送信されたクジ情報の正当性を再判定している請求項５又は６に記載のクジ情報登録装置。
【請求項８】
同一種類の複数のシールに各々相違するクジ情報が記載されてなる商品媒体であって、前記シールは、前記商品媒体から分離されて他人への配布物に貼着されて使用され、前記配布物を受け取った他人は、前記シールに記載されたクジ情報に基づく当選の権利を取得可能になっているシール商品。
【発明の詳細な説明】
【０００１】
【発明の属する技術分野】
本発明は、不正使用を有効に排除できるクジ情報を円滑に発行可能なクジ情報発行装置、及び、クジ情報の記載された印刷物の所持者の操作に応答して、クジ情報を登録するクジ情報登録装置に関するものである。
【０００２】
【従来の技術】
名刺にクジ情報を記載するアイデアとしては、例えば、特開平６−１３５１８５公報（特許文献）に記載のものが認められる。この特許文献には、「会員情報データベースと名刺管理データベースに貯蔵された固有一連番号を根拠にして、周期的に抽籤を通して当籤した会員の、例えば銀行口座に振替したりサイバーマネーを支給すると共に、当籤した会員情報を当籤者データベースにアップデートされるようになる」と記載されている。そして、このシステムの主目的は、名刺交換した相手側の電話番号やＦＡＸ番号などの個人情報を、自らのコンピュータにタイプ入力する煩雑さを解消しようとものであると解される。
【０００３】
【発明が解決しようとする課題】
しかしながら、このシステムの利益を享受するには、凡そ全ての名刺が宝くじ名刺でないと実効性に欠けるといる問題がある。そこで、かかる問題点を考慮して、上記システムの普及を図るべく、宝くじの恩恵を付与していると解されるが、それでも、上記システムが実効性を上げるには相当の困難があると言わざるを得ない。
【０００４】
また、そもそも、名刺に印刷したクジ情報は、名刺管理などに利用されるべきでなく、単純に、名刺を交換した者同士の親密感を高める役目を果たさせる方が適切である。また、名刺に限らず他の一般的な広告媒体にクジ情報を印刷して、広告主と顧客との精神的距離を縮めるような単純な目的の方が適している。また、クジ情報の記載されたシール商品であって、これを貼着した配布物によって、配布者と受け取り者との親密感を高めるのも好適である。
【０００５】
更にまた、名刺に印刷されたクジ情報によって金銭的な利益を付与しようとするのであれば、これが悪用されないような万全の対策を採るべきであるが、この点でも上記システムには何らの対策も存在しない。金銭的な配当を与える以上、クジ情報そのものに万全のセキュリティが施されているべきであり、そのようなクジ情報を安定的に供給できるシステムが望まれる。
【０００６】
本発明は、上記の着想に基づいてなされたものであって、印刷物や配布物の提供者と受け取り者の精神的距離を確実に縮めることができ、かつ、万全のセキュリティが施されているクジ情報を安定的に供給できるシステムを構築することを課題とする。
【０００７】
【課題を解決するための手段】
上記課題を解決するために、請求項１に係る発明は、通信回線を介してクライアント機器に接続され、一群の同一種類の印刷物に記載される各々相違するクジ情報を、前記クライアント機器からの要求に基づいて自動的に発行可能なサーバ機器であって、前記クライアント機器からクジ情報の必要個数を受け付ける第１手段と、前記一群の同一種類の印刷物について、個々の印刷物を一意的に特定可能な２進コードを生成する第２手段と、前記２進コードに基づいて生成されるキーコードを、前記２進コードに混入させて単一のクジ情報を完成させる第３手段と、前記第２手段及び第３手段の繰返し動作によって完成された必要個数のクジ情報を、前記クライアント機器に返送する第４手段と、を備えている。
【０００８】
第２手段が生成する２進コードは、コンピュータ処理によって生成されるものであれば特に限定されないが、不規則に生成される乱数値であることが好適である。この場合、一群の同一種類の印刷物に記載されるクジ情報がランダムなものとなるので、当て推量でクジ情報を思い付こうとする行為を未然に防止することができる。
【０００９】
また、第２手段が生成する２進コードは、前記印刷物の発行主体を特定する固定部分と、その他の非固定部分とで構成されているのが好適である。この場合も、固定部分はランダムな数値が選択されるのが好適である。なお、実施例の場合にはユーザコードＲＮＤ１が固定部分に対応する。
【００１０】
キーコードの生成方法は特に限定されないが、２進コードの全部又は一部に基づいて生成される。なお、２進コードの全部又は一部を直接的に使用する場合や、全部又は一部を使用した演算処理によってキーコードを生成する場合に限定されず、例えば、２進コードの全部又は一部に基づいて変換テーブルを検索して、キーコードを特定する場合も含まれる。また、キーコードを２進コードに混入させる方法も特に限定されず、実施例のように、必ずしも、２進コードのビット長が増加するものでなくても良い。
【００１１】
前記クジ情報は、人間が容易に認識できるような数字・文字・記号など（総称して符号という）に変換される必要があるが、数字（及び／又は）アルファベットに変換するのが典型的である。この場合、特定の数字（及び／又は）アルファベットについては、これを使用しない構成にすれば、当て推量でクジ情報を思い付いても、その非正当性をクライアント機器側で報知することもでき、不正行為の発生を有効に警告できる。なお、クジ情報の正当性のチェックは、クライアント機器だけで行う場合と、サーバ機器だけで行う方法と、クライアント機器及びサーバ機器で行う方法がある。
【００１２】
本発明のクジ情報発行装置によって発行されたクジ情報は、印刷物に記載されるが、印刷物としては、各営業店舗が発行するポイントカードや、企業人がビジネスで使用する名刺などのカード類が典型的である。但し、これらに限定されるものではなく、広告チラシやパンフレット、その他ダイレクトメール（葉書など）などの広告媒体も含まれる。
【００１３】
また、公告媒体以外でも、友人や取引先へのプレゼント用のシール（商品媒体）に印刷するもの好適である。この場合、請求項１に記載のクジ情報発行装置から発行されたクジ情報を記載した一個又はそれ以上のシールを備え、前記シールが剥離紙に粘着されてなるシール商品として市販される。クジ情報の記載されたシールは、シール商品から剥離されて、葉書や封筒などの郵便物や、その他の印刷物（名刺や広告チラシやパンフレットを含む）に貼着されて使用される。
【００１４】
前記サーバ機器は、予め会員登録を済ませた会員のクライアント機器のみからアクセス可能に構成されているのが好適である。また、好ましくは、前記クライアント機器に返送するクジ情報は、他の発行済みのクジ情報と共に所定のデータベースに蓄積されるべきである。更にまた、クジ情報は、それ自身の一部を切り出すことで、前記キーコードを生成可能に構成されているのが好ましい。
【００１５】
一方、請求項５に係る発明は、請求項１〜請求項４の何れかに記載のクジ情報を記載した印刷物の所持者の操作に起因して、前記クジ情報の登録を受け付けるクジ情報登録装置であって、クライアント機器から送信されたクジ情報を含んだ一群の伝送データを受け付ける受信手段と、前記一群の伝送データからクジ情報を抽出する抽出手段と、抽出されたクジ情報に基づいて前記キーコードを特定するキー特定手段と、特定されたキーコードに基づいて、送信されたクジ情報の正当性を判定する判定手段とを備えている。
【００１６】
前記キー特定手段は、好ましくは、抽出されたクジ情報のみに基づいてキーコードを特定している。また、前記判定手段は、好ましくは、キーコードに基づいて正当性が判定された後、発行済みのクジ情報を検索して、送信されたクジ情報の正当性を再判定している。
【００１７】
また、請求項８に係る発明は、同一種類の複数のシールに各々相違するクジ情報が記載されてなる商品媒体であって、前記シールは、前記商品媒体から分離されて他人への配布物に貼着されて使用され、前記配布物を受け取った他人は、前記シールに記載されたクジ情報に基づく当選の権利を取得可能になっている。ここで当選の権利を取得する条件としては、配布物を受け取った他人がクジ情報を所定箇所（抽選サーバなど）に登録すること、或いは、配布物の配布主がクジ情報を所定箇所に登録することが典型的である。但し、このような手続きを一切省略する構成でも良い。
【００１８】
【発明の実施の形態】
以下、本発明を実施例に基づいて本発明の実施の形態を詳細に説明する。図１は、実施例に係るクジ情報発行システムＥＱＵ１の全体構成を示すブロック図である。図示の通り、このクジ情報発行システムＥＱＵ１は、印刷物に記載すべきクジ情報を発行するクジ情報発行サーバＳＶ１と、本システムの加盟店に設置される複数のクライアント機器ＰＣ１〜ＰＣｎとが、インターネット回線ＮＥＴを介して接続されて構成されている。なお、各クライアント機器ＰＣ１〜ＰＣｎは、通常、パーソナルコンピュータ（以下、パソコンと略す）で構成される。
【００１９】
図１に示すクジ情報発行システムＥＱＵ１から発行されたクジ情報は、印刷物に印刷されて広く一般に配布される。そして、印刷物の配布を受けた者が、自己を特定する個人情報と共に、印刷物に記載されたクジ情報を情報登録サーバＳＶ２（図２）に登録したことを条件に、抽選処理によって景品を得る権利を取得できるようになっている。なお、この抽選処理は、例えば定期的に実施され、景品を得る権利は、例えば情報登録サーバＳＶ２に必要情報を登録してから所定の有効期間（例えば１年間）だけ維持される。
【００２０】
図２は、クジ情報の登録処理と抽選結果の公表処理を行うシステムであり、クジ情報の受付／発表システムＥＱＵ２の全体構成を示すブロック図である。図示の通り、このシステムＥＱＵ２は、印刷物に記載されたクジ情報を個人情報と共に受付けて登録する情報登録サーバＳＶ２と、登録されたクジ情報を一定期間（例えば一ヶ月）毎に抽選して当選者を決定する抽選サーバＳＶ３と、一般個人のクライアント機器であるパソコンＧＵＥＳＴ１〜ＧＵＥＳＴｎとが、インターネット回線ＮＥＴを介して接続されて構成されている。
【００２１】
ここで、抽選サーバＳＶ３は、当選クジ情報（当選番号や当選者）と景品とをインターネット回線ＮＥＴを介して閲覧可能に構成されているだけでなく、景品を提供した企業やその他のスポンサー企業へのリンク情報も提供しており、一般個人が各種商品を任意に検索できるようになっている。そのため、抽選サーバＳＶ３は、インターネット回線ＮＥＴと移動体通信網ＮＥＴ’とを介して、携帯電話機などの移動体機器ＭＯからもアクセル可能に構成されている。
【００２２】
なお、図１と図２では、便宜上、クジ情報発行システムＥＱＵ１とクジ情報受付／発表システムＥＱＵ２とを別々の物として図示しているが、実際には、クジ情報発行サーバＳＶ１と、情報登録サーバＳＶ２と、抽選サーバＳＶ３とは、同一のコンピュータ装置で実現することができる。また、各サーバＳＶ１〜ＳＶ３を同一のコンピュータ装置で実現するか否かに拘わらず、データベースＤＢは、各サーバＳＶ１〜ＳＶ３に接続されて任意にアクセス可能に構成されている。
【００２３】
図１に示す加盟店としては、印刷物を発行可能な機器を有する印刷会社や、印刷物を受注可能なコンビニエンスストアなどが典型的であるが、いずれにしても本システムの登録会員であり、それぞれに固有のＩＤとパスワードとが付与されている。そして、各登録会員は、クジ情報発行サーバＳＶ１から必要個数のクジ情報を購入し、これを印刷物に印刷してレストランなどの営業店舗や企業会社に販売している。
【００２４】
印刷物としては、各営業店舗が発行するポイントカードや、企業人がビジネスで使用する名刺などのカード類が典型的である。但し、これらに限定されるものではなく、広告チラシやパンフレット、その他ダイレクトメール（葉書など）などの広告媒体も含まれる。
【００２５】
各加盟店で印刷される印刷物には、広告情報や個人情報などの必須情報の他に、クジ情報や関連ＵＲＬ（Ｕｎｉｆｏｒｍ  Ｒｅｓｏｕｒｃｅ  Ｌｏｃａｔｏｒ）などの付属情報が記載されている。そして、印刷物の配布を受けた者が、自己を特定する個人情報と共に、印刷物に記載されたクジ情報を個人情報登録サーバＳＶ２（図２）に登録したことを条件に、抽選によって景品を得る権利を取得できるようになっている。本実施例では、クジ情報を登録する際に入力される個人情報は、当選した景品の発送先を特定するものであるから、入力内容の信頼性がきわめて高い。
【００２６】
ここで、クジ情報としては、例えば、数字とアルファベットを組合せた１２桁程度の抽選符号が適当であり、印刷物に記載されている関連ＵＲＬは、例えば、この抽選符号を登録すべき情報登録サーバＳＶ２のＵＲＬが該当する。そして、登録された抽選符号は、所定の有効期間、抽選サーバＳＶ３における抽選処理の対象となり、もし当選すれば景品や賞金が貰えるようになっている。
【００２７】
このように、抽選符号の記載された印刷物をもらった者は、その抽選符号を情報登録サーバＳＶ２に登録するだけで景品や賞金を得ることになり、印刷物の発行主体との精神的距離を確実に縮める効果がある。なお、抽選処理を毎月実施する場合、景品や賞金の原資を、前月分のクジ情報発行サーバＳＶ１の売上実績に基づいて決定するようにすれば、安定して本システムＥＱＵ１，ＥＱＵ２を維持できると共に、景品の豪華さが毎月変るので、景品を得る権利を有する者は期待感を持って繰返し抽選サーバＳＶ３をアクセスすることになる。
【００２８】
図３は、登録会員のクライアント機器ＰＣ１〜ＰＣｎがクジ情報の発行を求めた場合の、クジ情報発行サーバＳＶ１の動作内容を説明するフローチャートである。以下の説明では、レストランが来店者に無償配布する利用者カードについて説明するが、その他の広告媒体や企業人が用いる名刺の場合にも基本的に処理内容は同じである。
【００２９】
何れにしても、図３のステップＳＴ１の処理に先だって、クジ情報発行サーバＳＶ１は、ユーザＩＤとパスワードによる認証を受けたクライアント機器ＰＣに対して、印刷物の発行主体（レストラン）の個人情報と共に、クジ情報の必要数Ｎを記入すべきＨＴＭＬファイルを送信している。そのため、ここでは要求された情報が、既にクライアント機器ＰＣからクジ情報発行サーバＳＶ１に送信されているとする。
【００３０】
この場合、クジ情報発行サーバＳＶ１は、先ず、新規ユーザからの注文であるか否かを判定して（ＳＴ１）、新規ユーザの場合には、クライアント機器ＰＣから送信されてきた印刷物発行主体の個人情報を、例えば、図６のような形式でデータベースＤＢに登録する（ＳＴ２）。この場合、個人情報としては、店舗名や会社名のほか、住所・電話番号・ＦＡＸ番号・メールアドレスなどが該当する。但し、印刷物が名刺の場合には、上記の情報の他に所属部署やポストなども含まれる。なお、ステップＳＴ２の段階では、図６に示す「ユーザコード」の欄や「抽選データ」の欄は空白である。
【００３１】
次に、この実施例では、乱数生成処理によって３４ビットの乱数値ＲＮＤ１を生成する（ＳＴ３）。この乱数値ＲＮＤ１は、「１ＡＨ４−９ＧＬ８−Ｃ３ＰＡ」のような１２桁の抽選符号の、上位８桁の文字列１ＡＨ４−９ＧＬ８（４０ビット）の主要部（３４ビット）を構成する部分である。そして、この３４ビットが既に他のユーザに割当てられていないかを判定し（ＳＴ４）、ユーザコードが重複する場合には、ステップＳＴ３の処理を繰り返す。なお、この実施例では、ユーザコードを２進数３４ビットで構成しているので、２の３４乗＝１７，１７９，８６９，１８４通りのユーザコードを生成することができ、ユーザコードが枯渇することはない。
【００３２】
次に、別の乱数生成処理によって２０ビットの乱数値ＲＮＤ２を生成する（ＳＴ５）。これは、「１ＡＨ４−９ＧＬ８−Ｃ３ＰＡ」のような１２桁の抽選符号の、下位４桁の文字列Ｃ３ＰＡ（２０ビット）を構成する部分であり、２０ビットの乱数値ＲＮＤ２が５ビット毎に区切られて、各桁の符号を構成している。なお、ユーザコードが付与済みのユーザであって、過去に抽選コードが付与された実績がある場合には、ステップＳＴ５の処理で生成された２０ビットと、発行済みの抽選コードの下位２０ビットの重複が判定され、重複しなくなるまでステップＳＴ５の処理が繰り返される。
【００３３】
このようにして、当該ユーザコードにおいて重複しない２０ビットの乱数値ＲＮＤ２が決定されたら、次に、２０ビットの乱数値ＲＮＤ２を、変換テーブルＴＢＬにしたがって４桁の文字列に変換する（ＳＴ６）。この実施例では、図４に示すような変換テーブルＴＢＬによって、数字・記号（符号）と２進コード（５ビット）の関係が規定されており、例えば、２０ビットの乱数値ＲＮＤ２が「０１０１０・０００１０・１０１０１・０１００１」の場合には、この乱数値ＲＮＤ２が「Ｃ３ＰＡ」の文字列に対応することになる（図４参照）。
【００３４】
なお、この変換テーブルＴＢＬから明らかなように、この実施例では、他の文字（Ｏ，８，１，０）と紛らわしい「０」「Ｂ」「Ｉ」「Ｏ」の文字は使用しないようにしており、情報登録サーバＳＶ２へのクジ情報の登録処理を円滑化している。すなわち、抽選符号を一般個人がパソコンＧＵＥＳＴに入力する際に、抽選符号を読み誤ってユーザが「Ｂ」や「Ｉ」と入力した場合には、パソコンＧＵＥＳＴにダウンロードされているＨＴＭＬファイルに書込まれたＪａｖａＳｃｒｉｐｔ（登録商標）などのプログラムによって、パソコン画面に『Ｂ（Ｉ）ではなく８（１）ではないですか』のメッセージを表示させることが可能となり、情報登録サーバＳＶ２の負担を軽減することができる。
【００３５】
図３に戻って説明を続けると、ステップＳＴ６の処理が終われば、次に、２０ビットの乱数値ＲＮＤ２を５ビット毎に区切って、２進数の加算演算を実行して６ビットのキーコードＫＥＹを生成する（ＳＴ７）。なお、このキーコードＫＥＹは、情報登録サーバＳＶ２にデタラメな抽選用符号が登録されることを防止するものであり、１２桁の符号列だけから正当性を判定できるようにするものである。したがって、パソコンＧＵＥＳＴからデタラメな抽選用符号が送信されてきた場合、それをサーバ側で簡単に検出できるものであれば、キーコードＫＥＹの生成法や使用法は、上記したもの限定されず、適宜に他の方法が選択される。
【００３６】
この実施例では、最も簡単な２進加算によってキーコードＫＥＹを生成するとして説明を続けるが、例えば、抽選符号の下位４桁が「Ｃ３ＰＡ」となる場合には、０１０１０＋０００１０＋１０１０１＋０１００１の２進数加算によって、キーコードＫＥＹは「１０１０１０」となる（図４参照）。次に、３４ビットのユーザコード（乱数値ＲＮＤ１）に６ビットのキーコードＫＥＹを埋め込むと共に、この４０ビットデータに、２０ビットの乱数値ＲＮＤ２を組合せて、合計６０ビットの抽選データＲＮＤを完成させる（ＳＴ８）。
【００３７】
図５は、この関係を図示したものである。３４ビットのユーザコード（乱数値ＲＮＤ１）に６ビットのキーコードＫＥＹを埋め込む方法は適宜であるが、この例では、１２桁の抽選符号の上位４桁を構成する２０ビットデータのｂｉｔ１５，ｂｉｔ１０，ｂｉｔ０の各位置に、キーコードＫＥＹの上位３ビットの各値（１，０，１）を埋め込んでいる。また、１２桁の抽選符号の中位４桁を構成する２０ビットデータのｂｉｔ１５，ｂｉｔ１０，ｂｉｔ５の各位置に、キーコードＫＥＹの下位３ビットの各値（０，１，０）を埋め込んでいる。
【００３８】
以上のようにして決定された６０ビットの抽選データＲＮＤは、印刷物の発行者の個人情報に関連させてデータベースに登録される（ＳＴ９及び図６参照）。このようにして１個の抽選データＲＮＤが生成されるが、その後、ステップＳＴ５〜ＳＴ１０の処理を繰り返すことによって、Ｎ種類の抽選データが生成される。そして、生成されたＮ種類の抽選データは、Ｎ個の文字列（Ｎ種類の抽選符号）の形式で該当するクライアント機器ＰＣに返送される（ＳＴ１１）。また、抽選符号の重複生成を防止するため、３４ビットのキーコードと２０ビットの２進コードはデータベースに登録される。
【００３９】
以上説明したように、図１に示すクジ情報発行システムＥＱＵ１によれば、任意個数のクジ情報を、インターネット回線ＮＥＴを通して簡易に提供することが可能となる。しかも、このクジ情報の中には、キーコードＫＥＹが埋め込まれているため、一般個人が適当に思いついた１２桁の抽選符号は、例えば、図２の情報登録サーバＳＶ２において、直ちにその不合理性を検出することができる。
【００４０】
なお、上記した方法を採った場合には、１２桁の抽選符号のうち、上位８桁の符号列の組合せについては、互いに類似した６４通りしかとれない。但し、これが問題になる場合にも適宜に対処可能であり、例えば、抽選データの上位４０ビット（キーコードＫＥＹを埋め込んだ後の４０ビットデータ）を適宜にローテーション処理することが例示される。
【００４１】
具体的には、キーコードＫＥＹのパリティ値と、キーコードＫＥＹの下位４ビットの値（０〜１５）とに応じて、偶パリティであれば、キーコードＫＥＹで決まるビット分（０〜１５）だけ抽選データ上位４０ビットを右にローテーション処理し、逆に、奇パリティであれば、抽選データ上位４０ビットを左にローテーション処理することが考えられる。
【００４２】
この場合には、Ｎ種類の抽選符号がよりランダムなものとなるので、いささかも不自然を与えることがない。なお、１２桁の抽選符号についての正当性チェックの際には、抽選符号の下位４桁からキーコードＫＥＹのパリティ値と下位４ビットの値（０〜１５）とを特定し、抽選符号の上位８桁から決まる４０ビットの値を、上記したのと逆向きにローテーション処理することになる。
【００４３】
ところで、図１のシステムＥＱＵ１で発行されたＮ種類の抽選符号は、この例では、レストランの来店者に無償配布される利用者カードに印刷される。また、これに合わせて、情報登録サーバＳＶ２のＵＲＬも利用者カードに印刷される。なお、抽選サーバＳＶ３のＵＲＬは、情報登録サーバＳＶ２からのリンク情報によって明らかになる。
【００４４】
このような利用者カードを受け取った一般個人は、利用者カードの情報に基づいて情報登録サーバＳＶ２アクセスして、景品の発送を受け取るための個人情報と共に、１２桁の抽選符号を登録することができる。なお、個人情報と抽選符号とは、例えば、＜ＦＯＲＭ  ＡＣＴＩＯＮ＝”ｈｔｔｐｓ：／／ｗｗｗ．＊＊＊＊＊＊＊＊＊＊＊＊＊＊＊＊＊＊＊＊＊＊”  ＭＥＴＨＯＤ＝”ＰＯＳＴ”＞のようなＨＴＭＬのＦＯＲＭアクションのＰＯＳＴデータとして情報登録サーバＳＶ２に伝送される。
【００４５】
図７は、このようなＰＯＳＴデータを受けた後の情報登録サーバＳＶ２の動作を説明するフローチャートである。先ず、一連のＰＯＳＴデータから１２桁の抽選符号を抽出し、６０ビットの抽選データＲＮＤを復元する（ＳＴ２０）。ここで、抽選符号は、例えば、各桁８ビット構成の文字列として送付されるので、各桁の文字を特定した後、図４に示す変換テーブルＴＢＬを参照して、１２桁の文字を６０ビット（＝５×１２ビット）の抽選データに変換する。
【００４６】
次に、抽選データＲＮＤの下位２０ビット（抽選符号の下位４桁）からキーコードＫＥＹを生成する（ＳＴ２１）。生成方法は、図４に示す場合と全く同様であり、抽選符号の下位４桁に対応する各５ビットデータを加算して６ビットのキーコードＫＥＹを生成する。
【００４７】
次に、キーコードＫＥＹの各ビットデータを、抽選データの上位と中位の４０ビットデータの該当Ｂｉｔと対比して抽選データの正当性を確認する（ＳＴ２２）。先に説明したように、この実施例では、抽選データの上位２０ビットデータのｂｉｔ１５，ｂｉｔ１０，ｂｉｔ０の各位置が、キーコードＫＥＹの上位３ビットの各値と全て一致する必要がある。また、抽選データの中位２０ビットデータのｂｉｔ１５，ｂｉｔ１０，ｂｉｔ５の各位置が、キーコードＫＥＹの下位３ビットの各値と全て一致しなければならない。
【００４８】
ステップＳＴ２２の判定において不一致箇所が一つでも検出された場合には、パソコンＧＵＥＳＴの操作において誤って抽選符号を入力したか、或いは、思い付きの不当な抽選符号を登録しようとしたと考えられるので、パソコンＧＵＥＳＴにエラーメッセージを返送するなど、適宜なエラー処理を行う（ＳＴ３０）。なお、この実施例では、「０」「Ｂ」「Ｉ」「Ｏ」の文字は使用しない上に、ＨＴＭＬファイルに適宜なＪａｖａＳｃｒｉｐｔプログラムを書込むことで不合理データが入力されるのを防止しており、繰返し異常な抽選符号を伝送してくるパソコンＧＵＥＳＴユーザに対しては制裁的措置を採ることもできる。
【００４９】
ステップＳＴ２２の判定で正常であると判定された場合には、抽選データの上位４０ビットからキーコードＫＥＹを除去し、３４ビットのユーザコードＲＮＤ１を復元する（ＳＴ２３）。次に、復元されたユーザコードをキーにしてデータベースを検索して、当該印刷物の発行者を特定し（図６）、復元した抽選データＲＮＤが、発行済みの抽選データの何れかに一致するか否かを判定する（ＳＴ２４）。
【００５０】
ここで、一致するデータが検出できない場合とは、ステップＳＴ２２の整合性チェックは通過したものの、不当な抽選データの登録がされようとしている場合であると判定できるので、適宜なエラー処理によって処理を終える（ＳＴ３１）。
【００５１】
このように、本実施例では、抽選符号の組合せの不合理性によるチェックと、発行済みのデータとの一致チェックを行っているので不正行為を確実に排除することができる。なお、登録処理を終えた正規の利用者カード保持者が、利用者カードを落としてしまい、これを拾った者が登録処理をしようとするような場合も考えられなくはないが、抽選データの二重登録を排除することで対応可能である。つまり、抽選データは一度しか登録できないのが好適である。
【００５２】
通常は、ステップＳＴ２５の判定を正常に通過するので、次に、一連のＰＯＳＴデータから、抽選符号を入力した者の個人情報を抽出する（ＳＴ２６）。そして、抽選符号の入力者の顧客ＩＤを生成すると共に、当該ユーザ用のデータベース領域を確保し、そこに個人情報を登録する（ＳＴ２７）。
【００５３】
以上は、印刷物がレストランなどの利用者カードの場合である。しかし、印刷物が名刺のような場合には、この当該ユーザ用のデータベース領域に、更にカード（名刺）発行者の個人情報も登録し、これを抽選符号の入力者のみが適宜に閲覧できるようにしてもよい。この場合、自己の企業活動に応じて日々大量に増加する名刺について、一々、その情報を自分でコンピュータ機器に打ち込まなくてもよいメリットがある。
【００５４】
但し、企業人にとって、名刺に記載された情報は、その者の顧客情報として極めて重要であり、秘密にしたい要求も強いので、ＷＥＢサイトに確保するのは適当とは言えない。そこで、名刺の抽選符号を情報登録サーバＳＶ２に送信したことに対応して、名刺に記載された情報を、電子データ（テキストデータ）として、抽選符号の送信者のパソコンＧＵＥＳＴに返送するのが好適である。この場合、返送を受けた電子データによって自己の名刺管理データを充実させることができ何時での自由に名刺情報を活用できる利点がある。
【００５５】
さて、印刷物が名刺である場合の説明から、印刷物が利用者カードである場合の説明に話しを戻すと、ステップＳＴ２８では、抽選符号を伝送してきた者に付与された顧客ＩＤを、当日の年月日データと共に、当該カード発行者の顧客管理データベースに登録する（ＳＴ２８）。このことによって、パソコンＧＵＥＳＴから伝送されてきた抽選符号は、以降、景品や賞金についての抽選処理における抽選対象となる。
【００５６】
本実施例では、抽選処理を円滑に行う趣旨から、図８に示すように、抽選データ（抽選符号）と登録年月日データと顧客ＩＤとユーザコードとを関連させて、年月日データが古い順番に、登録レコードとして抽選テーブルＬＯＴに登録している（ＳＴ２９）。登録されたレコードには、一連のレコード番号ｉが付与されており、有効期限が切れるまでは抽選処理の対象となる。なお、有効期限が切れると該当するレコードが削除され、他のレコードのレコード番号が繰り上がる。
【００５７】
抽選処理は適宜に実行されるが、例えば、有効期限内のレコードがＭ個あり、景品の当選数が３個の場合には、乱数処理によって１〜Ｍの範囲内で３つの整数値が選択され、そのレコード番号で特定される顧客ＩＤのユーザに、景品が付与されることになる。
【００５８】
以上のようにして抽選データの登録処理は完了するが、登録サーバＳＶ２に登録された抽選データに関する情報は、印刷物発行主体（ここではレストラン）からのアクセスに応じて、適宜に閲覧できるようになっている。閲覧できる内容は、プライバシーを考慮して決定されるが、例えば、いつ何人の顧客が抽選符号を登録したかを閲覧できるようにすれば、利用者カードを無償配布したレストランにとって以降の営業活動の有力な参考資料とできる。
【００５９】
以上、本発明の実施例について具体的に説明したが、具体的な記載内容は何ら本発明を限定する趣旨ではない。例えば、抽選符号の生成方法やキーコードの生成方法は、その他の適宜な方法が選択されて良いし、クジ情報発行サーバＳＶ１や情報登録サーバＳＶ２の動作内容も実施例の通りである必要は全くない。
【００６０】
また、印刷物についても実施例で説明した利用者カードや名刺に限定される必要はない。図９は、クジ情報発行装置から発行された個々のクジ情報を印刷した複数個のシールＳＨ・・・ＳＨを、１枚の台紙ＢＳに貼着してなるクジ情報シートを図示したものである。このクジ情報シートは、剥離紙ＢＳとシールＳＨと粘着層ＡＴとで構成され、各シールＳＨは、ミシン目などによって、その領域が確定されている。また、クジ情報シート全体を特定する商品ＩＤが記載されており、この商品ＩＤによって、クジ情報シートに記載されている全てのクジ情報（図示例では１５種類）が、クジ情報発行サーバＳＶ１及びデータベースＤＢで特定できるようになっている。なお、このクジ情報シートは、コンビニエンスストアなどで一般ユーザに対して販売される。
【００６１】
クジ情報シートの購入者は、友人へのプレゼントや、取引先へのサービスとして各シールＳＨを使用することになる。具体的には、必要なシールＳＨを剥離紙ＢＳから剥がし、これを葉書や封筒や名刺などの印刷物に接着する。一方、このようなクジ情報付き印刷物を受け取った者は、印刷（貼着）されているクジ情報を、自己の個人情報と共に情報登録サーバＳＶ２に登録して景品を受け取る権利を取得することになる。
【００６２】
なお、クジ情報付き印刷物を受け取った者が、情報登録サーバＳＶ２に登録手続きを採ることに代えて、クジ情報シートの購入者が、各シールＳＨの使用に合わせて、情報登録サーバＳＶ２に登録手続きを採るようにしても良い。この場合、クジ情報シートの購入者が、一つ一つクジ情報を登録しても良いが、商品ＩＤを情報登録サーバＳＶ２に登録すれば、当該クジ情報シートに存在する全てのクジ情報（図示例では１５個）が登録できるようになっている。
【００６３】
何れにしても、クジ情報シートの購入者が、クジ情報と共に自己の個人情報を登録するようにすれば、クジ情報を受け取った者に景品が当たった場合に、そのプレゼント主を抽選サーバＳＶ３などで発表することができ、両者の親密度を更に高めることができる。
【００６４】
但し、このような情報登録サーバＳＶ２への登録手続きを省略することも可能であり、その場合には、抽選サーバＳＶ３をアクセスするだけで当選状態を確認することができる。なお、この場合には、発行した全てのクジ情報を対象として、定期的に抽選処理を行うことになる。
【００６５】
【発明の効果】
以上説明したように、本発明によれば、印刷物や配布物の提供者と受取者の精神的距離を確実に縮めることができ、かつ、万全のセキュリティが施されているクジ情報を安定的に供給できるシステムを構築することができる。
【図面の簡単な説明】
【図１】実施例に係るクジ情報発行システムの全体構成を示すブロック図である。
【図２】実施例に係るクジ情報の受付／発表システムの全体構成を示すブロック図である。
【図３】クジ情報発行サーバの動作を説明するフローチャートである。
【図４】変換テーブルＴＢＬを例示した図面である。
【図５】抽選符号の生成方法を説明する図面である。
【図６】印刷物発行主体のデータベースを例示したものである。
【図７】情報登録サーバの動作内容を説明するフローチャートである。
【図８】抽選テーブルＬＯＴを例示したものである。
【図９】実施例に係るクジ情報シートを例示した図面である。
【符号の説明】
ＮＥＴ            通信回線（インターネット）
ＰＣ１            クライアント機器
ＳＶ１            サーバ機器（クジ発行サーバ）
ＳＴ２〜ＳＴ５    第１手段
ＳＴ７            第２手段
ＳＴ８            第３手段
ＳＴ１１          第４手段
【図１】
2004249535.tif 000003
【図２】
2004249535.tif 000004
【図３】
2004249535.tif 000005
【図４】
2004249535.tif 000006
【図５】
2004249535.tif 000007
【図６】
2004249535.tif 000008
【図７】
2004249535.tif 000009
【図８】
2004249535.tif 000010
【図９】
2004249535.tif 000011